(57)【要約】【課題】パーソナルコンピュータ（ＰＣ）などの情報処理装置上で携帯電話ソフトウェアを利用可能とする。【解決手段】パーソナルコンピュータ１０１のソフトウェア制御部１１０には、携帯電話搭載のアプリケーションプログラムと、パーソナルコンピュータが有するデバイス（表示部１０２，カメラ１０３，スピーカ１０４，マイク１０５など）のデバイスドライバと、アプリケーションプログラムがデバイスドライバとの間で情報の入出力を行う場合に予め定められたプロトコル変換を行うサービス手段とを含む。アプリケーションプログラムがデバイスドライバをアクセスする際はサービス手段を介しアクセス情報のプロトコル変換を行う。ハードウェア通信制御部１０８は、アプリケーションプログラムが網を介し情報の送受信を行う場合に、前記網との間で無線通信を行う。【選択図】      図１
2005033634.tif 000002
【特許請求の範囲】
【請求項１】
情報処理装置における携帯電話機能の実施方式において、前記情報処理装置が、前記携帯電話搭載のアプリケーションプログラムと、前記アプリケーションプログラムが前記情報処理装置が予め有するデバイスドライバとの間で情報の入出力を行う場合に予め定められたプロトコル変換を行うサービス手段と、前記アプリケーションプログラムが網を介し情報の送受信を行う場合に前記網との間で無線通信を行うハードウェア通信制御手段とを含んで構成されることを特徴とする情報処理装置における携帯電話機能の実施方式。
【請求項２】
前記サービス手段は、少なくとも前記アプリケーションプログラム中の電話アプリケーションが前記情報処理装置の音声入出力デバイスを利用し音声通話が可能となるようにする音声応答サービス手段、前記電話アプリケーションが前記網との間で前記通信制御手段を介した電話番号の送出、音声データの送受信を可能となるようにする入出力制御サービス手段、前記アプリケーションプログラム中のメーラアプリケーション、ブラウザアプリケーション、スケジュールアプリケーションなどが前記情報処理装置の表示手段に予め決められたフォーマットの表示が可能となるようにする表示制御サービス手段、前記アプリケーションプログラム中のカメラアプリケーションがカメラを利用し前記表示手段にカメラ映像の表示が可能となるようにするカメラ制御サービス手段、前記アプリケーションプログラム中の動画アプリケーションが前記表示手段に動画の表示が可能となるようにする動画制御サービス手段とを含んで構成されることを特徴とする請求項１記載の情報処理装置における携帯電話機能の実施方式。
【請求項３】
電話番号またはスケジュールデータを含むユーザデータが、前記ハードウェア通信制御手段に予め設けられたユーザデータ格納部に保持され前記アプリケーションプログラムから参照されることを特徴とする請求項１記載の情報処理装置における携帯電話機能の実施方式。
【請求項４】
前記ハードウェア通信制御手段は、前記情報処理装置に脱着可能に取り付けられることを特徴とする請求項１記載の情報処理装置における携帯電話機能の実施方式。
【請求項５】
情報処理装置における携帯電話機能の実施方法において、前記携帯電話搭載のアプリケーションプログラムと、前記アプリケーションプログラムと前記情報処理装置が予め有するデバイスドライバとの間で入出力される情報のプロトコル変換を行うサービス手段と、前記アプリケーションプログラムが網を介し情報の送受信を行う場合に前記網との間で無線通信を行うハードウェア通信制御手段とを含んで構成される前記情報処理装置にあって、前記アプリケーションプログラムが前記デバイスドライバをアクセスする際は前記サービス手段を介しアクセス情報の前記プロトコル変換を行うことを特徴とする情報処理装置における携帯電話機能の実施方法。
【請求項６】
前記サービス手段は、少なくとも前記アプリケーションプログラム中の電話アプリケーションが前記情報処理装置の音声入出力デバイスを利用し音声通話が可能となるようにする音声応答サービス手段、前記電話アプリケーションが前記網との間で前記通信制御手段を介した電話番号の送出、音声データの送受信を可能となるようにする入出力制御サービス手段、前記アプリケーションプログラム中のメーラアプリケーション、ブラウザアプリケーション、スケジュールアプリケーションなどが前記情報処理装置の表示手段に予め決められたフォーマットの表示が可能となるようにする表示制御サービス手段、前記アプリケーションプログラム中のカメラアプリケーションがカメラを利用し前記表示手段にカメラ映像の表示が可能となるようにするカメラ制御サービス手段、前記アプリケーションプログラム中の動画アプリケーションが前記表示手段に動画の表示が可能となるようにする動画制御サービス手段とを含んで構成されることを特徴とする請求項５記載の情報処理装置における携帯電話機能の実施方法。
【請求項７】
電話番号またはスケジュールデータを含むユーザデータが、前記ハードウェア通信制御手段に予め設けられたユーザデータ格納部に保持され前記アプリケーションプログラムから参照されることを特徴とする請求項５記載の情報処理装置における携帯電話機能の実施方法。
【請求項８】
前記ハードウェア通信制御手段は、前記情報処理装置に脱着可能に取り付けられることを特徴とする請求項５記載の情報処理装置における携帯電話機能の実施方法。
【発明の詳細な説明】
【技術分野】
【０００１】
本発明は、情報処理装置における携帯電話機能の実施方法に関し、特に、ＰＤＡやパーソナルコンピュータ（ＰＣ）などの情報処理装置上で携帯電話ソフトウェアを利用可能とし、また携帯電話ソフトウェア更新による機能強化や不具合修正を容易にし、さらに電話帳などのユーザデータを他の携帯電話機能を有するＰＤＡやＰＣで共用可能とする情報処理装置における携帯電話機能の実施方式及び情報処理装置における携帯電話機能の実施方法に関する。
【背景技術】
【０００２】
従来、携帯電話機能は携帯電話装置上でしか実現できない。もちろん、パソコン上でデバッグ等のため、携帯電話ソフトウェアをシミュレーションする方法が提案されている（例えば、特許文献１参照。）。しかし、この特許文献１に示される方法は、携帯電話装置上で動作する機能を画面表示装置上でシミュレーションを行えるように変換するだけのものであり、情報処理装置上で携帯電話と同等の機能を実施できるものではない。
【０００３】
従って、現状では携帯電話機能を実施しようとすれば、低速な処理速度、小さな表示装置、ポインティングデバイスを有しない、効率的な文字入力ができないという携帯電話の環境を使用するしかなかった。
【０００４】
また、携帯電話ソフトウェアをグレードアップしようと思えば、販売店に持って行き、プログラムを入れ替えてもらうしかなかった。
【０００５】
【特許文献１】特開平４−１９５３４８号公報
【発明の開示】
【発明が解決しようとする課題】
【０００６】
上述した従来の携帯電話では、次の問題がある。
【０００７】
第一の問題として、高機能化するソフトウェアを携帯電話で利用する場合、低速なＭＰＵ、小さな表示装置、ポインティングデバイスを有していない、文字入力が迅速にできない等の問題により利用しにくいという問題がある。
【０００８】
第二の問題点として、携帯電話のソフトウェアの更新が容易に出来ないという問題がある。
【０００９】
第三の問題点として、電話帳、スケジュール、登録単語などのユーザデータを他の携帯電話で容易に利用できないという問題がある。
【００１０】
「発明の目的」
本発明の第一の目的は携帯電話用ソフトウェアをＰＣ上で利用可能とし、ＰＣが有する表示部、カメラ、キー操作部、スピーカ、マイク、ポインティングデバイス等のハードウェアリソースを携帯電話用ソフトウェアの入出力手段として利用可能とし、携帯電話機能の操作性を向上させる事にある。
【００１１】
また、第二の目的は携帯電話用ソフトウェアを容易に更新可能とする事にある。
【００１２】
また、第三の目的は、ユーザデータを他の携帯電話機能を有するＰＣ上で利用可能とすることである。
【課題を解決するための手段】
【００１３】
本願の第１の発明は、情報処理装置における携帯電話機能の実施方式において、前記情報処理装置が、前記携帯電話搭載のアプリケーションプログラムと、前記アプリケーションプログラムが前記情報処理装置が予め有するデバイスドライバとの間で情報の入出力を行う場合に予め定められたプロトコル変換を行うサービス手段と、前記アプリケーションプログラムが網を介し情報の送受信を行う場合に前記網との間で無線通信を行うハードウェア通信制御手段とを含んで構成されることを特徴とする。
【００１４】
本願の第２の発明は、第１の発明の前記サービス手段は、少なくとも前記アプリケーションプログラム中の電話アプリケーションが前記情報処理装置の音声入出力デバイスを利用し音声通話が可能となるようにする音声応答サービス手段、前記電話アプリケーションが前記網との間で前記通信制御手段を介した電話番号の送出、音声データの送受信を可能となるようにする入出力制御サービス手段、前記アプリケーションプログラム中のメーラアプリケーション、ブラウザアプリケーション、スケジュールアプリケーションなどが前記情報処理装置の表示手段に予め決められたフォーマットの表示が可能となるようにする表示制御サービス手段、前記アプリケーションプログラム中のカメラアプリケーションがカメラを利用し前記表示手段にカメラ映像の表示が可能となるようにするカメラ制御サービス手段、前記アプリケーションプログラム中の動画アプリケーションが前記表示手段に動画の表示が可能となるようにする動画制御サービス手段とを含んで構成されることを特徴とする。
【００１５】
本願の第３の発明は、第１の発明にて電話番号またはスケジュールデータを含むユーザデータが、前記ハードウェア通信制御手段に予め設けられたユーザデータ格納部に保持され前記アプリケーションプログラムから参照されることを特徴とする。
【００１６】
本願の第４の発明は、第１の発明の前記ハードウェア通信制御手段は、前記情報処理装置に脱着可能に取り付けられることを特徴とする。
【００１７】
本願の第５の発明は、情報処理装置における携帯電話機能の実施方法において、前記携帯電話搭載のアプリケーションプログラムと、前記アプリケーションプログラムと前記情報処理装置が予め有するデバイスドライバとの間で入出力される情報のプロトコル変換を行うサービス手段と、前記アプリケーションプログラムが網を介し情報の送受信を行う場合に前記網との間で無線通信を行うハードウェア通信制御手段とを含んで構成される前記情報処理装置にあって、前記アプリケーションプログラムが前記デバイスドライバをアクセスする際は前記サービス手段を介しアクセス情報の前記プロトコル変換を行うことを特徴とする。
【００１８】
本願の第６の発明は、第５の発明の前記サービス手段は、少なくとも前記アプリケーションプログラム中の電話アプリケーションが前記情報処理装置の音声入出力デバイスを利用し音声通話が可能となるようにする音声応答サービス手段、前記電話アプリケーションが前記網との間で前記通信制御手段を介した電話番号の送出、音声データの送受信を可能となるようにする入出力制御サービス手段、前記アプリケーションプログラム中のメーラアプリケーション、ブラウザアプリケーション、スケジュールアプリケーションなどが前記情報処理装置の表示手段に予め決められたフォーマットの表示が可能となるようにする表示制御サービス手段、前記アプリケーションプログラム中のカメラアプリケーションがカメラを利用し前記表示手段にカメラ映像の表示が可能となるようにするカメラ制御サービス手段、前記アプリケーションプログラム中の動画アプリケーションが前記表示手段に動画の表示が可能となるようにする動画制御サービス手段とを含んで構成されることを特徴とする。
【００１９】
本願の第７の発明は、第５の発明にて電話番号またはスケジュールデータを含むユーザデータが、前記ハードウェア通信制御手段に予め設けられたユーザデータ格納部に保持され前記アプリケーションプログラムから参照されることを特徴とする。
【００２０】
本願の第８の発明は、第５の発明の前記ハードウェア通信制御手段は、前記情報処理装置に脱着可能に取り付けられることを特徴とする。
【発明の効果】
【００２１】
以上説明したように、本発明は、以下の効果がある。
【００２２】
第一の効果は、携帯電話用アプリケーションからパーソナルコンピュータに接続された表示装置、カメラ、スピーカ、マイク、ポインティングデバイス、キー操作装置などが携帯電話アプリケーションから利用できるようにしたことより、パーソナルコンピュータ上で携帯電話機能の高速処理、大画面表示、データ入出力などの操作性の向上が容易に実現可能となることである。
【００２３】
第二の効果は、コンテンツサーバから最新の携帯電話プログラムをダウンロードし更新ができるようにしたことより、ソフトウェアを容易に更新可能となることである。
【００２４】
第三の効果は、脱着可能なハードウェア通信制御部の不揮発エリアであるユーザデータ格納部にユーザデータを登録し参照が可能なようにしたことより、電話番号やスケジュールなどのユーザデータを他の同じ仕組みの携帯電話機能を有するパーソナルコンピュータで容易に利用できることである。
【発明を実施するための最良の形態】
【００２５】
図１は本発明の一実施の形態を示すブロック図である。
【００２６】
図１を参照すると、本発明の携帯電話機能が動作するパーソナルコンピュータ１０１には表示部１０２、カメラ１０３、スピーカ１０４、マイク１０５、ポインティングデバイス１０６、キー操作部１０７が接続されている。
【００２７】
通信を行うハードウェア通信制御部１０８はＰＣカード、ＵＳＢ、ＲＳ−２３２Ｃ、ＩＥＥＥ１３９４、ＩｒＤＡなどの汎用インターフェースでパーソナルコンピュータ１０１と接続されている。ハードウェア通信制御部１０８の制御はソフトウェア制御部１１０が実施する。電話帳などを利用する携帯電話用アプリケーションもソフトウェア制御部１１０に含まれている。
【００２８】
コンテンツサーバ１１１にはソフトウェア制御部１１０の改修・機能強化プログラムが格納されており、ハードウェア通信制御部１０８と通信しプログラムをダウンロードし更新が可能である。  表示部１０２には携帯電話に模した画像を表示し後述の操作が可能である。
【００２９】
図２は、ソフトウェア制御部１１０のソフトウェアブロック図を表したものである。
【００３０】
ハードウェア２０１はパーソナルコンピュータ１０１に接続されている各物理デバイスである表示部１０２、カメラ１０３、スピーカ１０４、マイク１０５、ポインティングデバイス１０６、キー操作部１０７、ハードウェア通信制御部１０８が対応する。
【００３１】
デバイスドライバ２０２は、上述の各物理デバイスを制御するドライバであり、キー制御デバイスドライバ２０２−１、通信制御デバイスドライバ２０２−２、ファイル管理デバイスドライバ２０２−３、音声録再デバイスドライバ２０２−４、オーディオ制御デバイスドライバ２０２−５、カメラ制御デバイスドライバ２０２−６、画像制御デバイスドライバ２０２−７、表示制御デバイスドライバ２０２−８、カレンダデバイスドライバ２０２−９が対応し上位層より制御可能となるようにする。
【００３２】
ＯＳ２００上でアプリケーション２０４の各携帯電話アプリケーションが動作する際、直接デバイスドライバのアクセスは行わず、サービス手段２０３を介しデバイスドライバ２０２の制御を行う。これは、携帯電話用アプリケーション２０４の各アプリケーションがパーソナルコンピュータでも動作させるため直接デバイスドライバを制御せず、制御インターフェースを用意しているサービス手段２０３を介しデバイスドライバを制御する事により携帯電話／パーソナルコンピュータの区別なくアプリケーションを動作させるようにするためである。
【００３３】
音声応答サービス手段２０３−１は電話アプリケーション２０４−１が図１のスピーカ１０４、マイク１０５を利用し音声通話が可能となるようにする機能である。
【００３４】
入出力制御サービス手段２０３−２は電話帳アプリケーション２０４−２、スケジュールアプリケーション２０４−９が電話帳データ、スケジュールデータファイルを利用可能とし、また電話アプリケーション２０４−１が通信制御部１０８を介した電話番号の送出、音声データの送受信を行うことを可能とする機能である。
【００３５】
録音／再生サービス手段２０３−３、サウンドシステムサービス手段２０３−４は音声メモアプリケーション２０４−３、着メロアプリケーション２０４−４が図１のスピーカ１０４、マイク１０５を利用し音声の録音／再生が可能となるようにする機能である。
【００３６】
カメラ制御サービス手段２０３−５は、カメラアプリケーション２０４−５が図１のカメラ１０３を利用し図１の表示部１０２に携帯電話同様のユーザインタフェース画面へカメラ映像の表示が可能となるようにする機能である。
【００３７】
動画制御サービス手段２０３−６は、動画アプリケーション２０４−６が図１の表示部１０２に携帯電話同様のユーザインタフェース画面へ動画の表示が可能となるようにする機能である。
【００３８】
表示制御サービス手段２０３−７は、メーラアプリケーション２０４−７、ブラウザアプリケーション２０４−８、スケジュールアプリケーション２０４−９などが図１の表示部１０２に携帯電話同様のユーザインタフェース画面への表示が可能となるようにする機能である。
【００３９】
以下本発明の実施の形態につき図面を参照して動作を詳細に説明する。
【００４０】
一実施例としてダイヤル発信し通話する場合の動作を記述する。
【００４１】
図１のソフトウェア制御部１１０に内蔵の携帯電話アプリケーションである電話アプリケーション２０４−１を起動することにより図１の表示部１０２に携帯電話同様のユーザインタフェース画面の表示が可能である。
【００４２】
音声通話する場合、図１のキー操作部１０７を操作し電話番号を押下すると、図２のキー制御デバイスドライバ２０２−１から、押下されたキーが入出力制御サービス手段２０３−３を介し電話アプリケーション２０４−１に渡される。電話アプリケーション２０４−１は、表示制御サービス手段２０３−７を介し、図１の表示部１０２の携帯電話同様のユーザインタフェース画面に番号を表示する。予め決められた発信キーが押下されると、押下されたキーが同様に電話アプリケーション２０４−１に渡され、先に渡された電話番号情報が、図２の入出力制御サービス手段２０３−２、通信制御デバイスドライバ２０２−２を介し、図１の通信制御部１０８を動作させることにより通信業者の基地局と繋がり、相手との接続後、スピーカ１０４、マイク１０５を利用し通話が可能となる。
【００４３】
同様に電話帳により電話番号を取得する場合は、電話帳アプリケーション２０４−２を起動し、入出力制御サービス手段２０３−２を介しファイル管理デバイスドライバ２０２−３に電話帳ファイルを参照させることにより電話番号を押下することなしに目的とする電話番号の取得が可能となる。
【００４４】
また、会話中の音声のメモを録音する場合は、音声メモアプリケーション２０４−３を起動し、録音／再生サービス手段２０３−３を介し、音声録再デバイスドライバ２０２−４に図１のマイク１０５、スピーカ１０４を制御させることにより音声データの記録／再生が可能となる。
【００４５】
着信した際にメロディーを再生するには、着メロアプリケーション２０４−４を起動し、サウンドシステムサービス手段２０３−４を介し、オーディオ制御デバイスドライバ２０２−５に図１のスピーカ１０４を鳴動させることにより着メロを再生することが可能となる。
【００４６】
さらに、図１のカメラ１０３を利用し動画表示するには、カメラアプリケーション２０４−５や動画アプリケーション２０４−６を起動し、カメラ制御サービス手段２０３−５、動画制御サービス手段２０３−６を介し、カメラ制御デバイスドライバ２０２−６、画像制御デバイスドライバ２０２−７に、カメラ１０３制御及び表示部１０２への携帯電話同様の画面出力をさせることにより動画表示が可能となる。
【００４７】
同様に、メールやブラウザ、あるいはスケジューラの画面を表示させるには、メーラアプリケーション２０４−７、ブラウザアプリケーション２０４−８、あるいはスケジュールアプリケーション２０４−９などを起動し、表示制御サービス手段２０３−７などを介し、表示制御デバイスドライバ２０２−８や、時刻を管理するカレンダデバイスドライバ２０２−９に画面出力させることにより、図１の表示部１０２に携帯電話同様のユーザインタフェース画面で、メールやブラウザ、及びスケジューラの画面を表示させることが可能となる。
【００４８】
次に、コンテンツサーバ１１１にはソフトウェア制御部１１０の改修・機能強化プログラムが格納されており、ハードウェア通信制御部１０８と通信しプログラムをダウンロードし更新が可能である。通常、携帯電話のソフトウェアは携帯電話販売店でのみ変更が可能であり、本発明によりパーソナルコンピュータ同様手軽にソフトウェアの変更が可能となる。
【００４９】
電話番号やスケジュールなどのユーザデータは、ハードウェア通信制御部１０８内の不揮発エリアであるユーザデータ格納部１０９に登録可能である。ハードウェア通信制御部１０８はＰＣカードやＵＳＢ等で接続されており脱着が容易なため、他のパーソナルコンピュータで本発明のユーザデータ格納部１０９からユーザデータの読出し／更新が可能となる。
【００５０】
本発明により携帯電話用アプリケーションがハードウェア通信制御部と接続したパーソナルコンピュータで動作可能となる。なおパーソナルコンピュータはデスクトップに限定せず、ノート型やＰＤＡなどのモバイル機器も含み限定しない。また、コンテンツサーバよりソフトウェアの更新が容易となる修正プログラムの入手はコンテンツサーバだけでなく、ＬＡＮ接続した他のＰＣやまたＣＤ、コンパクトフラッシュ（登録商標）、ＳＤカード等のリムーバブルメディアからも可能であり限定しない。ハードウェア通信制御部１０８は携帯電話、市販のＰＣＭＣＩＡタイプの通信カード等も利用可能であり対象を限定しない。ハードウェア通信制御部１０８内のユーザデータ格納部１０９としてはＵＩＭカードなども含み限定しない。
【図面の簡単な説明】
【００５１】
【図１】本発明の一実施の形態を示すブロック図である。
【図２】本発明のソフトウェア制御部のソフトウェア構成を表したブロック図である。
【符号の説明】
【００５２】
１０１    パーソナルコンピュータ
１０２    表示部
１０３    カメラ
１０４    スピーカ
１０５    マイク
１０６    ポインティングデバイス
１０７    キー操作部
１０８    ハードウェア通信制御部
１０９    ユーザデータ格納部
１１０    ソフトウェア制御部
１１１    コンテンツサーバ
２００    ＯＳ
２０１    ハードウェア
２０２    デバイスドライバ
２０２−１    キー制御デバイスドライバ
２０２−２    通信制御デバイスドライバ
２０２−３    ファイル管理デバイスドライバ
２０２−４    音声録再デバイスドライバ
２０２−５    オーディオ制御デバイスドライバ
２０２−６    カメラ制御デバイスドライバ
２０２−７    画像制御デバイスドライバ
２０２−８    表示制御デバイスドライバ
２０２−９    カレンダデバイスドライバ
２０３    サービス手段
２０３−１    音声応答サービス手段
２０３−２    入出力制御サービス手段
２０３−３    録音／再生サービス手段
２０３−４    サウンドシステムサービス手段
２０３−５    カメラ制御サービス手段
２０３−６    動画制御サービス手段
２０３−７    表示制御サービス手段
２０４    アプリケーション
２０４−１    電話アプリケーション
２０４−２    電話帳アプリケーション
２０４−３    音声メモアプリケーション
２０４−４    着メロアプリケーション
２０４−５    カメラアプリケーション
２０４−６    動画アプリケーション
２０４−７    メーラアプリケーション
２０４−８    ブラウザアプリケーション
２０４−９    スケジュールアプリケーション
【図１】
2005033634.tif 000003
【図２】
2005033634.tif 000004